(57)【要約】【課題】コネクタ部の胴体の側面に並んで配置された複数の給水口金に対して、複数の接続口金が並んで配置された接続アダプタを誤ることなく正しく接続することができる内視鏡装置を提供すること。【解決手段】光源装置に着脱自在に接続されるコネクタ部１０の胴体１０ａの側面に複数の給水口金１３，１４が並んで配置されて、複数の給水口金１３，１４に対して着脱自在に接続される複数の接続口金２３，２４が一つの接続アダプタ２０に並んで配置された内視鏡装置において、接続アダプタ２０を接続口金２３，２４の背面側から見たときの接続アダプタ２０の輪郭形状を非対称の形状に形成すると共に、接続アダプタ２０が接続される部分のコネクタ部１０の胴部１０ａの外壁面に、接続アダプタ２０と略同寸法で同形状の指標１６，１６′を形成した。【選択図】      図１
2007252834.tif 000002
【特許請求の範囲】
【請求項１】
光源装置に着脱自在に接続されるコネクタ部の胴体の側面に複数の給水口金が並んで配置されて、上記複数の給水口金に対して着脱自在に接続される複数の接続口金が一つの接続アダプタに並んで配置された内視鏡装置において、
上記接続アダプタを上記接続口金の背面側から見たときの上記接続アダプタの輪郭形状を非対称の形状に形成すると共に、上記接続アダプタが接続される部分の上記コネクタ部の胴部の外壁面に、上記接続アダプタと略同寸法で同形状の指標を形成したことを特徴とする内視鏡装置。
【請求項２】
上記指標が、上記接続アダプタの輪郭に沿って上記コネクタ部の胴部の外壁面から突出形成されたものである請求項１記載の内視鏡装置。
【請求項３】
上記指標が、上記接続アダプタの輪郭に沿って上記コネクタ部の胴部の外壁面に平面的に表示されたものである請求項１記載の内視鏡装置。
【発明の詳細な説明】
【技術分野】
【０００１】
この発明は内視鏡装置に関する。
【背景技術】
【０００２】
一般に胃腸検査用の内視鏡には、観察窓の表面を洗浄するための送水管路が内蔵されているが、大腸検査用の内視鏡等にはさらに、観察対象である粘膜面に付いた便などを洗い流すための第２の送水管路が内蔵されている。
【０００３】
光源装置に着脱自在に接続されるコネクタ部の胴部の側面にはそのような二つの送水管路の入口部である二つの給水口金が並んで配置されていて、一方の給水口金には観察窓洗浄のための自動給水用の送水タンクの給水チューブを接続し、他方の給水口金には粘膜面洗浄のための手動給水具の給水チューブを接続するようになっている（例えば、特許文献１）。
【特許文献１】特開平１０−２７６９６８
【発明の開示】
【発明が解決しようとする課題】
【０００４】
しかし、そのような構成の内視鏡では、使用準備の際に、送水タンクの給水チューブと手動給水具の給水チューブとを二つの給水口金に個別に接続しなければならないので面倒である。
【０００５】
そこで、二つの給水口金に対して着脱自在に接続される二つの接続口金を一つの接続アダプタに並んで配置することが考えられ、本発明の出願人が既に特願２００４−３６２０９８として特許出願済である。
【０００６】
しかし、コネクタ部の胴体の側面に並んで配置された二つの給水口金はどうしても大きさ及び外観が大差のないものになってしまうので、そこに接続アダプタを接続する際に誤って二つの接続口金を逆に接続しようとする場合があり、無理をして口金を破損してしまう恐れがある。
【０００７】
そこで本発明は、コネクタ部の胴体の側面に並んで配置された複数の給水口金に対して、複数の接続口金が並んで配置された接続アダプタを誤ることなく正しく接続することができる内視鏡装置を提供することを目的とする。
【課題を解決するための手段】
【０００８】
上記の目的を達成するため、本発明の内視鏡装置は、光源装置に着脱自在に接続されるコネクタ部の胴体の側面に複数の給水口金が並んで配置されて、複数の給水口金に対して着脱自在に接続される複数の接続口金が一つの接続アダプタに並んで配置された内視鏡装置において、接続アダプタを接続口金の背面側から見たときの接続アダプタの輪郭形状を非対称の形状に形成すると共に、接続アダプタが接続される部分のコネクタ部の胴部の外壁面に、接続アダプタと略同寸法で同形状の指標を形成したものである。
【０００９】
なお、指標が、接続アダプタの輪郭に沿ってコネクタ部の胴部の外壁面から突出形成されたものであってもよく、或いは、指標が、接続アダプタの輪郭に沿ってコネクタ部の胴部の外壁面に平面的に表示されたものであってもよい。
【発明の効果】
【００１０】
本発明によれば、複数の接続口金が配置された接続アダプタをコネクタ部外壁面の指標に合う向きにしてから、コネクタ部側の複数の給水口金に接続アダプタ側の複数の接続口金を接続することで、コネクタ部側の複数の給水口金に対して接続アダプタ側の複数の接続口金を誤ることなく正しく接続することができる。
【発明を実施するための最良の形態】
【００１１】
光源装置に着脱自在に接続されるコネクタ部の胴体の側面に複数の給水口金が並んで配置されて、複数の給水口金に対して着脱自在に接続される複数の接続口金が一つの接続アダプタに並んで配置された内視鏡装置において、接続アダプタを接続口金の背面側から見たときの接続アダプタの輪郭形状を非対称の形状に形成すると共に、接続アダプタが接続される部分のコネクタ部の胴部の外壁面に、接続アダプタと略同寸法で同形状の指標を形成する。
【実施例】
【００１２】
図面を参照して本発明の実施例を説明する。
図２は本発明の実施例の内視鏡を示しており、体内に挿入される可撓性の挿入部１の基端に操作部２が連結され、図示されていない光源装置兼ビデオプロセッサに着脱自在に接続されるコネクタ部１０が、操作部２から延出する接続用可撓管３の先端に取り付けられている。
【００１３】
コネクタ部１０には、光源装置兼ビデオプロセッサ側に接続されるライトガイドコネクタ１１と信号コネクタ１２とがコネクタ部１０の胴体１０ａの端部から突出する状態に配置され、その胴体１０ａの側面には、第１の給水口金１３と第２の給水口金１４等が配置されている。１５は、内視鏡内の圧力を調整するための圧力調整弁である。
【００１４】
第１の給水口金１３は、挿入部１の先端に配置された観察窓に吹き付けるための水の給水を図示されていない自動給水用の送水タンクから受けるためのものであり、第２の給水口金１４は、挿入部１の先端から観察視野の粘膜面等に向けて噴出させるための水を図示されていない手動給水具から受けるためのものである。
【００１５】
図１と図３は、コネクタ部１０に接続アダプタ２０が接続されていない状態を示しており、送水タンクに通じる送水タンク接続チューブ３３と手動給水具に通じる手動給水具接続チューブ３４とが接続アダプタ２０の背面部分に各々着脱自在に接続されている。
【００１６】
接続アダプタ２０のコネクタ部１０に面する側の面（前面）には、第１の給水口金１３に対して接続される第１の接続口金２３と、第２の給水口金１４に対して接続される第２の接続口金２４とが並列に突設されている。なお、第１の接続口金２３及び第２の接続口金２４に配置されているＯリング等については図示が省略されている。
【００１７】
そのような構成により、図４に示されるように、第１の給水口金１３と第２の給水口金１４に対して第１の接続口金２３と第２の接続口金２４をワンタッチで接続することができ、また、図３に示されるように、第１の接続口金２３と第２の接続口金２４を第１の給水口金１３と第２の給水口金１４からワンタッチで取り外すことができる。なお、図４に示される１７と１８は、吸引チューブ接続口金とアース端子である。
【００１８】
図５は、接続アダプタ２０単体から送水タンク接続チューブ３３と手動給水具接続チューブ３４が外された状態の接続アダプタ２０の背面（即ち、コネクタ部１０に面する側の面に対する背面）を示しており、３３Ａと３４Ａは、送水タンク接続チューブ３３と手動給水具接続チューブ３４が各々着脱自在に接続される接続孔である。
【００１９】
図５に示されるように、この実施例においては、接続アダプタ２０を背面側から見た時の輪郭形状が、長方形の一辺だけを斜め向きに変えた四辺形からなる非対称形状に形成されている。
【００２０】
一方、図６に示されるように、接続アダプタ２０が接続される部分のコネクタ部１０の胴体１０ａの外壁面には、輪郭形状が接続アダプタ２０と略同寸法で同形状の非対称形の指標１６が形成されており、この実施例の指標１６は、図３、図４及び図１に示されるように、接続アダプタ２０の輪郭に沿ってコネクタ部１０の胴体１０ａの外壁面から僅かに（例えば０．５〜２ｍｍ程度）突出形成されている。
【００２１】
したがって、接続アダプタ２０を指標１６に合う向きにしてから、第１の給水口金１３と第２の給水口金１４に対して接続アダプタ２０の第１の接続口金２３と第２の接続口金２４を接続すれば、第１の接続口金２３と第２の接続口金２４とが誤ることなく正しく第１の給水口金１３と第２の給水口金１４とに接続される。
【００２２】
図７は本発明の第２の実施例のコネクタ部１０を示しており、指標１６′を、接続アダプタ２０の輪郭に沿ってコネクタ部１０の胴部１０ａの外壁面に印刷やシール貼着等の手段により平面的に表示したものである。このように構成しても、前述と同様の効果を得ることができる。
【００２３】
なお、本発明は上記実施例に限定されるものではなく、例えば接続アダプタ２０と指標１６の輪郭形状は非対称形であれば前述の形状以外のどのような形状であっても差し支えない。また、接続アダプタ２０に三個以上の接続口金が設けられていたものであってもよい。
【図面の簡単な説明】
【００２４】
【図１】本発明の第１の実施例の内視鏡装置のコネクタ部に接続アダプタが接続されてない状態の略示斜視図である。
【図２】本発明の第１の実施例の内視鏡の全体構成を示す側面図である。
【図３】本発明の第１の実施例の内視鏡装置のコネクタ部に接続アダプタが接続されてない状態の部分平面図である。
【図４】本発明の第１の実施例の内視鏡装置のコネクタ部に接続アダプタが接続された状態の部分平面図である。
【図５】本発明の第１の実施例の内視鏡装置の接続アダプタの背面図である。面図である。
【図６】本発明の第１の実施例の内視鏡のコネクタの側面図である。
【図７】本発明の第２の実施例の内視鏡のコネクタの側面図である。
【符号の説明】
【００２５】
１０  コネクタ部
１０ａ  胴体
１３  第１の給水口金
１４  第２の給水口金
１６，１６′  指標
２０  接続アダプタ
２３  第１の接続口金
２４  第２の接続口金
３３  送水タンク接続チューブ
３４  手動給水具接続チューブ
【図１】
2007252834.tif 000003
【図２】
2007252834.tif 000004
【図３】
2007252834.tif 000005
【図４】
2007252834.tif 000006
【図５】
2007252834.tif 000007
【図６】
2007252834.tif 000008
【図７】
2007252834.tif 000009